(57)【要約】【課題】  モニタ等の表示装置をＤＶＤ再生装置等の画像出力装置に接続する度に、表示装置における画像情報の表示条件の設定を的確に行うことができる画像出力装置を提供する。【解決手段】  ＤＶＤ再生装置１０は、ＨＤＭＩモニタ４０からＨＤＭＩモニタ４０の表示条件を示す情報である条件情報を予め取得するＣＰＵ１７と、ＨＤＭＩモニタ４０に出力する画像情報を取得した条件情報に基づいて変換する情報変換部１４と、情報変換部１４により変換された画像情報である変換済画像情報をＨＤＭＩモニタ４０に出力するＨＤＭＩ送信部１５と、を備え、ＤＶＤ記録媒体６０から取得した画像情報を変換して当該ＤＶＤ再生装置１０に接続されたＨＤＭＩモニタ４０に出力することにより、上記課題を解決する。【選択図】  図２
2005109703.tif 000002
【特許請求の範囲】
【請求項１】
画像情報を表示する表示装置と接続され、当該表示装置に前記画像情報を出力する画像出力装置であって、
予め前記表示装置から当該表示装置の表示条件を示す情報である条件情報を取得する取得手段と、
前記表示装置に出力する画像情報を前記条件情報に基づいて変換する変換手段と、
前記変換手段により変換された画像情報である変換済画像情報を前記表示装置に出力する出力手段と、
を備えることを特徴とする画像出力装置。
【請求項２】
請求項１に記載の画像出力装置であって、さらに、
前記取得手段によって取得された、前記表示装置を特定するための特定情報を含む前記条件情報を記憶する記憶手段と、
前記取得手段によって取得された前記条件情報に基づいて前記画像情報を出力する前記表示装置を特定する特定手段とを備え、
前記変換手段は、前記特定手段により特定された当該表示装置に基づき、接続される当該表示装置に適合する前記条件情報を記憶手段から読み込むとともに、前記読み込んだ条件情報に基づき、出力する画像情報を変換することを特徴とする画像出力装置。
【請求項３】
請求項１または２に記載の画像出力装置であって、
前記出力手段は、デジタル信号で形成された前記変換済画像情報を出力することを特徴とする画像出力装置。
【請求項４】
請求項３に記載の画像出力装置であって、
前記出力手段は、ＨＤＭＩ規格の信号で形成された前記変換済画像情報を出力することを特徴とする画像出力装置。
【請求項５】
請求項１から４のいずれか１項に記載の画像出力装置であって、さらに、
前記取得手段により前記表示装置から取得される前記条件情報の規格を判断する判断手段を備え、
前記取得手段は、前記判断手段により判断された規格に基づいた前記条件情報を取得することを特徴とする画像出力装置。
【請求項６】
請求項２乃至５のいずれか１項に記載の画像出力装置であって、さらに、前記表示装置に対する前記表示条件を変更するための操作に用いられる操作手段を備え、
前記記憶手段は、前記表示条件が変更された場合に、前記変更された表示条件を出力する画像情報に変換する際に用いられる表示条件として記憶することを特徴とする画像出力装置。
【請求項７】
請求項３乃至６のいずれか１項に記載の画像出力装置であって、
前記記憶手段が、前記表示装置との接続前の表示条件として接続前表示条件を予め記憶している場合において、
さらに、前記表示装置との接続が切断された旨を検出する検出手段を備え、
前記変換手段は、前記検出手段が前記表示装置との接続が切断された旨を検出した場合に、前記記憶されている接続前表示条件に基づき、前記画像情報を変換することを特徴とする画像出力装置。
【請求項８】
請求項１乃至７のいずれか１項に記載の画像出力装置であって、
前記取得手段は、前記表示装置の特定情報の他に、前記表示装置に表示する画像情報のアスペクト比、解像度、画素数、画像表示形式または画質の少なくともいずれか一つを含む前記条件情報を取得することを特徴とする画像出力装置。
【請求項９】
請求項１乃至８のいずれか１項に記載の画像出力装置であって、
前記表示装置は、さらに音声情報に基づき外部に音声を出力するとともに、
前記取得手段は、前記表示装置の音声条件を含む前記条件情報をさらに取得し、
前記変換手段は、前記表示装置に出力する前記音声情報を前記条件情報に基づいて変換し、
前記出力手段は、前記変換手段により変換された音声情報である変換済音声情報を前記表示装置に出力することを特徴とする画像出力装置。
【請求項１０】
請求項９に記載の画像出力装置であって、
前記操作手段は、前記音声条件を変更するための操作に用いられることを特徴とする画像出力装置。
【請求項１１】
画像情報を表示する表示装置と、当該表示装置と接続されて当該表示装置に前記画像情報を出力する画像出力装置と、からなる画像表示システムであって、
予め前記表示装置から当該表示装置の表示条件を示す情報である条件情報を取得する取得手段と、
前記表示装置に出力する画像情報を前記条件情報に基づいて変換する変換手段と、
前記変換手段により変換された画像情報である変換済画像情報を前記表示装置に出力する出力手段と、を備え、
前記表示装置は、前記画像出力装置から出力された変換済画像情報に従って画像情報を表示することを特徴とする画像表示システム。
【請求項１２】
請求項１１に記載の画像表示システムであって、
複数の前記表示装置が備えられている場合に、
前記画像出力装置と前記各表示装置との間に、当該各表示装置の少なくともいずれか一つを選択するための選択手段を備えることを特徴とする画像表示システム。
【請求項１３】
画像情報を表示する表示装置に前記画像情報を出力する画像出力方法であって、
予め前記表示装置から当該表示装置の表示条件を示す情報である条件情報を取得する取得工程と、
前記表示装置に出力する画像情報を前記条件情報に基づいて変換する変換工程と、
前記変換手段により変換された画像情報である変換済画像情報を前記表示装置に出力する出力工程と、
を含むことを特徴とする画像出力方法。
【請求項１４】
画像情報を表示する表示装置と接続され、当該表示装置に前記画像情報を出力する画像出力装置に含まれるコンピュータを、
予め前記表示装置から当該表示装置の表示条件を示す情報である条件情報を取得する取得手段、
前記表示装置に出力する画像情報を前記条件情報に基づいて変換する変換手段、
前記変換手段により変換された画像情報である変換済画像情報を前記表示装置に出力する出力手段、
として機能させることを特徴とする画像出力プログラム。
【請求項１５】
画像情報を表示する表示装置と接続され、当該表示装置に前記画像情報を出力する画像出力装置に含まれるコンピュータを、
予め前記表示装置から当該表示装置の表示条件を示す情報である条件情報を取得する取得手段、
前記表示装置に出力する画像情報を前記条件情報に基づいて変換する変換手段、
前記変換手段により変換された画像情報である変換済画像情報を前記表示装置に出力する出力手段、
として機能させる画像出力プログラムを、前記コンピュータで読み取り可能に記録したことを特徴とする情報記録媒体。
【請求項１６】
画像情報を表示する表示装置と接続され、当該表示装置に前記画像情報を出力する画像出力装置を制御する画像出力制御装置であって、
前記表示装置から当該表示装置の表示条件を示す情報である条件情報を予め取得する取得手段と、
前記表示装置に出力する前記画像情報を前記条件情報に基づいて変換させる変換制御手段と、
を備えることを特徴とする画像出力制御装置。
【請求項１７】
画像情報を表示する表示装置と接続され、当該表示装置に前記画像情報を出力する画像出力装置を制御する画像出力制御方法であって、
前記表示装置から当該表示装置の表示条件を示す情報である条件情報を予め取得する取得工程と、
前記表示装置に出力する画像情報を前記条件情報に基づいて変換させる変換制御工程と、
を含むことを特徴とする画像出力方法。
【請求項１８】
画像情報を表示する表示装置と接続され、当該表示装置に前記画像情報を出力する画像出力装置を制御する画像出力制御装置に含まれるコンピュータを、
前記表示装置から当該表示装置の表示条件を示す情報である条件情報を予め取得する取得手段、
前記表示装置に出力する画像情報を前記条件情報に基づいて変換させる変換制御手段、
として機能させることを特徴とする画像出力プログラム。
【請求項１９】
画像情報を表示する表示装置と接続され、当該表示装置に前記画像情報を出力する画像出力装置を制御する画像出力制御装置に含まれるコンピュータを、
前記表示装置から当該表示装置の表示条件を示す情報である条件情報を予め取得する取得手段、
前記表示装置に出力する画像情報を前記条件情報に基づいて変換させる変換制御手段、
として機能させる画像出力制御プログラムを、前記コンピュータで読み取り可能に記録したことを特徴とする情報記録媒体。
【発明の詳細な説明】
【技術分野】
【０００１】
本願は、静止画像や動画像等の画像を出力する画像出力装置、画像出力方法、画像表示システムおよび画像出力プログラム並びに情報記録媒体に関する。
【背景技術】
【０００２】
従来より、ＤＶＤ（digital versatile disc）再生装置等の画像出力装置が知られている。この画像出力装置は、通常、モニタ表示装置やテレビ画像受像機等の表示装置に接続され、静止画像や動画像等の画像情報を出力している。
【０００３】
これらの画像出力装置および表示装置の使用者は、画像出力装置と表示装置との接続を変更する度に、アスペクト比等の表示条件の設定を手動で変更している。このことにより、表示装置は、適切に画像情報を表示している。例えば、この使用者は、ＧＵＩ（graphical user interface）等のインターフェイスを用いることにより、表示装置の表示条件の設定を手動で行っている。
【発明の開示】
【発明が解決しようとする課題】
【０００４】
しかしながら、このような従来の画像出力装置においては、画像出力装置と接続する表示装置を変更する度に当該表示装置に画像を出力する際の表示条件の設定を変更する必要があるため、使用者はその都度手動で当該表示条件を設定するようになっている。従って、その都度表示条件を変更することは、使用者にとって手間がかかり、不便さを生じさせている。また、その表示条件の設定には、表示装置等における十分な知識が必要となるため、通常、その設定には表示装置の取扱説明書等が必要となり、当該取扱説明書がなければ、十分に表示条件の設定ができないことも多い。
【０００５】
そこで、本願の課題は、上述の従来技術において生じる、表示条件の設定を変更する不便さを解消することが一例として挙げられ、新規な画像出力装置、画像出力方法、画像表示システムおよび画像出力プログラム並びに記録媒体を提供するものであって、最適な表示条件に合わせた画像情報を出力する画像出力装置等を提供するものである。
【課題を解決するための手段】
【０００６】
上記の課題を解決するために、請求項１に記載の発明は、画像情報を表示する表示装置と接続され、当該表示装置に前記画像情報を出力する画像出力装置であって、予め前記表示装置から当該表示装置の表示条件を示す情報である条件情報を取得する取得手段と、前記表示装置に出力する画像情報を前記条件情報に基づいて変換する変換手段と、前記変換手段により変換された画像情報である変換済画像情報を前記表示装置に出力する出力手段と、を備えることを特徴とする画像出力装置である。
【０００７】
上記の課題を解決するために、請求項１１に記載の発明は、画像情報を表示する表示装置と、当該表示装置と接続されて当該表示装置に前記画像情報を出力する画像出力装置と、からなる画像表示システムであって、予め前記表示装置から前記表示装置の表示条件を示す情報である条件情報を取得する取得手段と、前記表示装置に出力する画像情報を前記条件情報に基づいて変換する変換手段と、前記変換手段により変換された画像情報である変換済画像情報を前記表示装置に出力する出力手段と、を備え、前記表示装置は、前記画像出力装置から出力された変換済画像情報に従って画像情報を表示することを特徴とする画像表示システムである。
【０００８】
上記の課題を解決するために、請求項１３に記載の発明は、画像情報を表示する表示装置に前記画像情報を出力する画像出力方法であって、予め前記表示装置から当該表示装置の表示条件を示す情報である条件情報を取得する取得工程と、前記表示装置に出力する画像情報を前記条件情報に基づいて変換する変換工程と、前記変換手段により変換された画像情報である変換済画像情報を前記表示装置に出力する出力工程と、を含むことを特徴とする画像出力方法である。
【０００９】
上記の課題を解決するために、請求項１４に記載の発明は、画像情報を表示する表示装置と接続され、当該表示装置に前記画像情報を出力する画像出力装置に含まれるコンピュータを、予め前記表示装置から前記表示装置の表示条件を示す情報である条件情報を取得する取得手段、前記表示装置に出力する画像情報を前記条件情報に基づいて変換する変換手段、前記変換手段により変換された画像情報である変換済画像情報を前記表示装置に出力する出力手段、として機能させることを特徴とする画像出力プログラムである。
【００１０】
上記の課題を解決するために、請求項１５に記載の発明は、画像情報を表示する表示装置と接続され、当該表示装置に前記画像情報を出力する画像出力装置に含まれるコンピュータを、予め前記表示装置から前記表示装置の表示条件を示す情報である条件情報を取得する取得手段、前記表示装置に出力する画像情報を前記条件情報に基づいて変換する変換手段、前記変換手段により変換された画像情報である変換済画像情報を前記表示装置に出力する出力手段、として機能させる画像出力プログラムを、前記コンピュータで読み取り可能に記録したことを特徴とする情報記録媒体である。
【発明を実施するための最良の形態】
【００１１】
本実施形態は、本願の画像出力装置としてＤＶＤ再生装置を用い、本願の表示装置としてＨＤＭＩ規格のモニタ（以下、ＨＤＭＩモニタと称する。）を用いた画像表示システムの実施の形態である。このＨＤＭＩ規格については後述する。
【００１２】
以下に、図面を参照して、本実施形態の画像出力装置であるＤＶＤ再生装置、および本実施形態の画像表示システムであるＤＶＤ画像表示システムについて具体的に説明する。
【００１３】
（１）  第一実施形態
本願に係る第一実施形態について、図１乃至図６を用いて説明する。
【００１４】
まず、図１および図２を用いて本実施形態のＤＶＤ画像表示システムの構成について説明する。なお、図１は、本実施形態のＤＶＤ画像表示システムの概要構成を示すブロック図である。そして、図２は、本実施形態のＤＶＤ画像表示システムを構成するＤＶＤ再生装置とＨＤＭＩモニタの各部材の詳細構成を示す図である。
【００１５】
図１に示すように、本実施形態のＤＶＤ画像表示システム１００は、ＤＶＤ再生装置１０とＨＤＭＩモニタ４０Ａおよび４０ＢとがＨＤＭＬケーブル３０を介して接続されている。また、各ＨＤＭＩモニタ４０Ａおよび４０ＢとＤＶＤ再生装置１０との間には、セレクタ３１が設けられ、当該セレクタ３１は、各ＨＤＭＩモニタ４０Ａおよび４０Ｂとの接続を切り替えるようなっている。
【００１６】
ＤＶＤ再生装置１０は、図２に示すように、信号読取部１１、信号処理部１２、ＡＶデコーダ１３、情報変換部１４、ＨＤＭＩ送信部１５、操作部１６、ＣＰＵ（Central Processing Unit；中央処理装置）１７、記憶部１８、ビデオエンコーダ１９、ビデオアンプ２０およびＤＶＤ設置部２１により構成されている。
【００１７】
なお、例えば、情報変換部１４は、本発明の変換手段として機能し、ＨＤＭＩ送信部１５は、本発明の出力手段として機能する。また、例えば、操作部１６は、本発明の操作手段として機能する。さらに、例えば、ＣＰＵ１７は、本発明の取得手段、特定手段、判断手段および検出手段として機能し、記憶部１８は、本発明の記憶手段として機能する。
【００１８】
信号読取部１１は、ＤＶＤ記録媒体６０の記録を読み取り可能な位置に配置されて、信号処理部１２と接続されている。この信号読取部１１は、ＤＶＤ記録媒体６０のピックアップ等から構成され、信号読取部１１は、ＤＶＤ記録媒体６０に記録されたマークおよびスペースを読みだして、当該マークおよびスペースを信号処理部１２に出力する。
【００１９】
信号処理部１２は、信号読取部１１およびＡＶデコーダ１３と接続されている他、ＤＶＤ再生装置１０内の通信線（以下、単に通信線という。）を介してＣＰＵ１７と接続され、ＣＰＵ１７により制御されている。
【００２０】
具体的には、信号処理部１２は、信号読取部１１から受け取ったマークおよびスペースをデジタルデータに変換する信号処理回路、８／１６変調で記録符号化されている変換されたデジタルデータを復調する復調回路、復調されたデジタルデータの誤りを訂正する誤り訂正回路等からなり、マークおよびスペースからプログラムストリームを生成する。なお、このプログラムストリームは、静止画像と動画像とを含む画像の情報（以下、単に画像情報という。）や音声情報等の信号が多重化されているデータである。
【００２１】
また、この信号処理部１２は、信号処理回路、復調回路および誤り訂正回路等の各回路によって、生成されたプログラムストリームをＭＰＥＧ（Moving Picture Expert Group）形式の画像情報とＡＣ３形式の音声情報とからなるデジタル信号に分離する。
【００２２】
そして、信号処理部１２は、分離された画像情報をＡＶデコーダ１３に送信する。ここで、信号処理部１２は、上述の画像情報と同様に、分離された音声情報をＡＶデコーダ１３に送信する。
【００２３】
ＡＶデコーダ１３は、信号処理部１２および映像情報処理部１４と接続されている他、通信線を介してＣＰＵ１７と接続され、ＣＰＵ１７により制御されている。具体的には、ＡＶデコーダ１３は、ＭＰＥＧデコーダ１３１と、後述するＨＤＭＩモニタ４０の表示条件情報をＧＵＩ生成するＧＵＩ生成部１３２と、により構成されている。
【００２４】
このＡＶデコーダ１３は、信号処理部１２から画像情報を受け取ると、その画像情報を所定形式の信号に復号する。そして、ＡＶデコーダ１３は、この復号した画像情報と、ＣＰＵ１７からの指示に基づいて後述するモニタの表示条件情報をＧＵＩ生成したＧＵＩ画像情報とを、情報変換部１４に送信する。
【００２５】
なお、ＡＶデコーダ１３は、入力された音声情報も所定形式の信号に復号し、当該ＡＶデコーダ１３は、復号した当該音声情報を、情報変換部１４を介してＨＤＭＩ送信部１５に送信する。
【００２６】
具体的に、ＭＰＥＧデコーダ１３１は、信号処理部１２から画像情報を受け取ると、その画像情報を所定形式の信号に復号する。そして、ＭＰＥＧデコーダ１３１は、復号された画像情報を画質調整部１４１へ送信する。
【００２７】
一方、ＧＵＩ生成部１３２は、ＨＤＭＩモニタ４０に当該ＤＶＤ再生装置１０が画像情報を出力するときの、画質、画像表示形式および解像度等の表示条件の設定を、後述するように、ＨＤＭＩモニタ４０から、または、記憶部１８から、ＣＰＵ１７を介して受け取る。そして、ＧＵＩ生成部１３２は、受け取ったＨＤＭＩモニタ４０の表示条件が含まれ、操作部１６により使用者が設定可能なＧＵＩ画像情報を生成し、生成したＧＵＩ画像情報を、ＨＤＭＩ送信部１５を介してＨＤＭＩモニタ４０へ出力する。例えば、ＧＵＩ生成部１３２は、後述する図６に示すような表示条件を含むＧＵＩ画像情報を出力する。なお、この表示条件の詳細については、後述する。
【００２８】
情報変換部１４は、ＡＶデコーダ１３、ビデオエンコーダ１９およびＨＤＭＩ送信部１５と接続されている他、通信線を介してＣＰＵ１７と接続され、ＣＰＵ１７により制御されている。具体的には、情報変換部１４は、画質調整部１４１、画像表示形式変換部１４２および解像度変換部１４３により構成されている。
【００２９】
この情報変換部１４は、ＡＶデコーダ１３から画像情報およびＧＵＩ画像情報を受け取る。そして、情報変換部１４は、ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換する。また、情報変換部１４は、画質、画像表示形式および解像度が変換された変換済画像情報をＨＤＭＩ送信部１５に送信する。なお、情報変換部１４は、画像情報をアナログ信号でアナログモニタ５０に出力するために、画質および画像表示形式が変換された変換済画像情報をビデオエンコーダ１９に送信する。
【００３０】
なお、情報変換部１４は、画像情報と同様に、入力されたＧＵＩ画像情報についても、ＣＰＵ１７からの指示に基づいて変換し、当該情報変換部１４は、変換されたＧＵＩ画像情報をＨＤＭＩ送信部１５に送信する。このＧＵＩ画像情報は、画像情報と同様に、以下に説明するように変換される。また、情報変換部１４は、入力された音声情報についても、ＣＰＵ１７からの指示に基づいて所定の設定に変換し、当該情報変換部１４は、変換された音声情報をＨＤＭＩ送信部１５に送信する。
【００３１】
ここで、情報変換部１４の各構成部材の構成について説明する。
【００３２】
画質調整部１４１は、ＡＶデコーダ１３から画像情報を受け取ると、ＣＰＵ１７および記憶部１８から通信線を介して得られる、設定された表示条件の中の画質に合わせて、入力された画像情報の画質を調整する。この画質調整部１４１は、操作部１６を用いて使用者により選択された画質に調整する。具体的には、画質調整部１４１は、ＨＤＭＩモニタ４０において表示される画像情報の明るさ、コントラスト等の画質を調整する。また、画質調整部１４１は、この画質調整後の画像情報を画像表示形式変換部１４２に送信する。
【００３３】
画像表示形式変換部１４２は、画質調整部１４１から画質調整後の画像情報を受け取ると、ＣＰＵ１７および記憶部１８から通信線を介して得られる、設定された表示条件の中の画像表示形式に合わせて、入力された画像情報の画像表示形式を変換する。この画像表示形式変換部１４２は、操作部１６を用いて使用者により選択された画像表示形式に変換する。例えば、画像表示形式変換部１４２は、入力された画像情報のインターレース方式、プログレッシブ方式等のＨＤＭＩモニタ４０における画像表示形式に、当該画像情報の画像表示形式を変換する。
【００３４】
また、画像表示形式変換部１４２は、解像度変換部１４３に、この画像表示形式変換後の画像情報を送信する。なお、画像表示形式変換部１４２は、画像情報をアナログ信号でアナログモニタ５０に出力するために、画像表示形式変換後の変換済画像情報をビデオエンコーダ１９に送信する。
【００３５】
解像度変換部１４３は、画像表示形式変換部１４２から表示形式変換後の画像情報を受け取ると、ＣＰＵ１７および記憶部１８から通信線を介して得られる、設定された表示条件の中の解像度に合わせて、画像情報の解像度を変換する。解像度変換部１４３は、この解像度変換後の画像情報をＨＤＭＩ送信部１５に送信する。
【００３６】
ＨＤＭＩ送信部１５は、情報変換部１４と接続されている他、通信線を介してＣＰＵ１７と接続され、ＣＰＵ１７に制御されている。また、ＨＤＭＩ送信部１５は、ＨＤＭＩケーブル３０を介して、ＨＤＭＩモニタ４０と接続されている。
【００３７】
このＨＤＭＩ送信部１５は、情報変換部１４から、すなわち、解像度変換部１４３から画像情報が変換された変換済画像情報を受け取ると、当該変換済画像情報を所定の形式に変換し、変換した画像情報をＨＤＭＩモニタ４０に送信する。このようにして、ＨＤＭＩ送信部１５は、ＨＤＭＩモニタ４０に変換済画像情報を出力する。
【００３８】
具体的には、ＨＤＭＩ送信部１５は、受け取った変換済画像情報をデジタル信号の状態で送信する。さらに具体的には、ＨＤＭＩ送信部１５は、受け取った変換済画像情報を、ＨＤＭＩ規格の情報に基づいたデジタル信号に変換して送信する。
【００３９】
本実施形態では、例えば、ＨＤＭＩ送信部１５は、この変換済画像情報をＨＤＭＩ規格のデジタル信号に変換し、ＨＤＭＩケーブル３０を介して、ＴＭＤＳ（Transition Minimized Differential Signaling）方式でＨＤＭＩモニタ４０に送信する。
【００４０】
なお、ＨＤＭＩ送信部１５は、情報変換部１４から、変換されたＧＵＩ画像情報および変換された音声情報を受け取るとともに、上述の変換済画像情報と同様に、所定の形式に変換し、変換したＧＵＩ画像情報および音声情報をＨＤＭＩモニタ４０に送信する。
【００４１】
一方、ＨＤＭＩ送信部１５は、ＨＤＭＩケーブル３０により、ＤＶＤ再生装置１０とＨＤＭＩモニタ４０との接続の有無を検出している。具体的には、ＨＤＭＩケーブル３０にはＨＰＤ（Hot Plug Detector）があり、ＨＤＭＩ送信部１５は、このＨＰＤから、接続の有無の情報を受け取る。ＨＤＭＩ送信部１５は、ＨＰＤから受け取った接続の有無の情報を、通信線を介してＣＰＵ１７に送信する。
【００４２】
操作部１６は、ＣＰＵ１７と接続されている。この操作部１６は、使用者がＨＤＭＩモニタ４０の後述する表示条件を変更するために用いられる。例えば、操作部１６は、ボタンを直接押すことによって当該表示条件の設定を行うことができるようになっている。具体的には、操作部１６が使用者によりＨＤＭＩモニタ４０の表示条件を変更するために用いられると、当該操作部１６は、表示条件を変更する旨をＣＰＵ１７に送信する。
【００４３】
ＣＰＵ１７は、操作部１６と接続されている他、信号処理部１２、ＡＶデコーダ１３、情報変換部１４、ＨＤＭＩ送信部１５および記憶部１８と、通信線を介して接続されている。また、ＣＰＵ１７は、ＨＤＭＩモニタ４０と、後述するＤＤＣ（Display Data Channel）および通信線を介して接続されている。ＣＰＵ１７からの指示は、通信線を介して信号処理部１２、ＡＶデコーダ１３、情報変換部１４、ＨＤＭＩ送信部１５および記憶部１８の各構成部材に送信され、ＣＰＵ１７は、これらの各構成部材を制御している。また、ＣＰＵ１７は、ＤＤＣを介して、ＨＤＭＩモニタ４０から後述する表示条件の情報（以下、表示条件情報という。）を含む条件情報を取得する。
【００４４】
ＣＰＵ１７は、ＤＶＤ再生装置１０とＨＤＭＩモニタ４０との接続が有る旨の情報をＨＤＭＩ送信部１５から受け取ると、ＨＤＭＩモニタ４０からそのＨＤＭＩモニタ４０の条件情報を、ＤＤＣを介して取得する。そして、ＣＰＵ１７は、情報変換部１４に対して、この条件情報により設定される表示条件に従って画像情報を変換するよう指示する。また、ＣＰＵ１７は、ＧＵＩ生成部１３２に対して、このＨＤＭＩモニタ４０の表示条件に基づいて当該表示条件におけるＧＵＩを生成し、当該生成したＧＵＩの画像情報（以下、ＧＵＩ画像情報という。）をＨＤＭＩモニタ４０に出力するよう指示する。なお、この条件情報にはＨＤＭＩモニタ４０の種類や同一のモニタであることを特定する特定情報が含まれている。この特定情報の詳細については後述する。
【００４５】
さらに、ＣＰＵ１７は、ＨＤＭＩモニタ４０から送信される、または、操作部１６を用いた設定変更により表示条件が変更された条件情報を、記憶部１８に送信して、各ＨＤＭＩモニタ４０の特定情報と他の条件情報とを関連づけて記憶部１８に記憶させる。そして、ＣＰＵ１７にＨＤＭＩモニタ４０から当該特定情報が入力されると、この特定情報を有するＨＤＭＩモニタ４０と適合する条件情報が記憶部１８に記憶されている場合には、ＣＰＵ１７は、記憶部１８から特定情報により特定されたＨＤＭＩモニタ４０の条件情報を読み出す。そして、ＣＰＵ１７は、情報変換部１４に対して、読み出された条件情報により設定される表示条件に従って画像情報を変換するよう指示する。
【００４６】
またさらに、ＣＰＵ１７は、接続されるＨＤＭＩモニタ４０から取得される条件情報の規格を判断する。具体的に、ＣＰＵ１７は、条件情報と共に入力される後述の登録識別子に基づいて、接続されるモニタの規格がＨＤＭＩ規格またはＤＶＩ規格等の規格であることを判断する。
【００４７】
なお、このように規格が判断されることにより、ＣＰＵ１７に入力される条件情報の規格が特定され、当該ＣＰＵ１７は、ＨＤＭＩ送信部１５に対し、変換済画像情報を所定形式の信号に変換してＨＤＭＩモニタ４０に送信させることが可能となる。
【００４８】
例えば、本実施形態では、上述のように、ＨＤＭＩ規格であるＨＤＭＩモニタ４０がＤＶＤ再生装置１０に接続されているので、ＣＰＵ１７は、接続されるＨＤＭＩモニタ４０から取得される条件情報の規格がＨＤＭＩ規格と判断する。そして、ＣＰＵ１７は、ＨＤＭＩ送信部１５に対し、判断したＨＤＭＩ規格に基づいて、変換済画像情報をデジタル信号に変換して送信するように指示する。
【００４９】
さらにまた、ＣＰＵ１７は、ＨＤＭＩモニタ４０とＤＶＤ再生装置１０との接続が無い旨の情報をＨＤＭＩ送信部１５から受け取ることにより、ＨＤＭＩモニタ４０とＤＶＤ再生装置１０との接続が切断された旨の情報を検出すると、記憶部１８からＤＶＤ再生装置１０とＨＤＭＩモニタ４０とが接続する前の表示条件を含む条件情報を読み出す。そして、ＣＰＵ１７は、情報変換部１４に対して、接続する前の表示条件に従って画像情報を変換するよう指示し、さらに、アナログモニタ５０へアナログ信号の当該画像情報を出力するよう指示する。
【００５０】
記憶部１８は、通信線を介してＣＰＵ１７と接続されている。記憶部１８は、ＣＰＵ１７から送信される各ＨＤＭＩモニタ４０の条件情報を、そのＨＤＭＩモニタ４０の特定情報とともに記憶する。
【００５１】
また、条件情報が変更された場合には、記憶部１８は、その度に変更された条件情報を記憶する。さらに、記憶部１８は、ＨＤＭＩモニタ４０と接続する前の条件情報を記憶している。
【００５２】
ビデオエンコーダ１９は、情報変換部１４およびビデオアンプ２０と接続されている。このビデオエンコーダ１９は、画像表示形式変換部１４２から画質または画像表示形式が変換された画像情報を受け取ると、この画像情報をアナログ出力用の信号に変換する。また、ビデオエンコーダ１９は、この変換された画像情報をビデオアンプ２０に送信する。
【００５３】
ビデオアンプ２０は、ビデオエンコーダ１９と接続されている。また、ビデオアンプ２０は、アナログケーブルと接続され、当該アナログケーブルを介してアナログモニタ５０が接続されている場合には、アナログ信号をアナログモニタ５０に出力する。具体的には、このビデオアンプ２０は、ビデオエンコーダ１９からアナログ出力用の信号に変換された画像情報を受け取ると、このアナログ出力用の信号を増幅する。そして、ビデオアンプ２０は、増幅された画像情報のアナログ出力用の信号を、アナログケーブルを介してアナログモニタ５０に出力する。
【００５４】
ＤＶＤ駆動部２１は、ＤＶＤ記録媒体６０を駆動する部材であり、ＤＶＤ記録媒体６０を回転させるスピンドルモータ等を備える。このスピンドルモータの回転数は、信号読取部１１のピックアップの位置により、少なくとも６８０〜１４００ｒｐｍ程度には変化できるようになっている。
【００５５】
ここで、ＤＤＣおよびＨＤＭＩについて説明する。
【００５６】
ＤＤＣは、Display Data Channelの略であり、通信形式の名称である。このＤＤＣは、画像情報の表示条件や音声情報の音声条件の情報以外に、ＨＤＭＩモニタ４０に関する他の情報を併せてＤＶＤ再生装置１０に送信するのにも用いられる回線である。なお、ＤＤＣは、ＤＶＤ再生装置１０内の通信線と接続されており、当該ＤＤＣは、ＤＶＤ再生装置１０とＨＤＭＩモニタ４０との間の回線を確立させるために用いられる。
【００５７】
ＨＤＭＩは、High Definition Multimedia Interfaceの略であり、ＤＶＤ再生装置等の出力装置からテレビ画像受像機やプロジェクタ表示装置等の表示装置へデジタルＡ／Ｖ信号を伝送するためのインターフェイスである。ＨＤＭＩは、従来の規格であるＤＶＩ（Digital Visual Interface for Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
【００５８】
ＨＤＭＩは、上述のＤＤＣ通信により、各種の情報（モニタの情報、例えばＥＤＩＤデータ構造等）を伝送するのに用いられることも可能である。また、ＨＤＭＩは、上述のように一のケーブルで画像情報および音声情報を伝送することができ、複数ケーブル接続の煩わしさがなくなるという利点を有している。ＤＶＤ再生装置１０からＣＳＳ（Content Scrambling System）におけるコンテンツを出力する場合において、ＨＤＭＩは、ＣＰＡＣ（Copy Protection Advisory Council）により承認されている規格である。
【００５９】
なお、ＣＳＳは、データを暗号化して記録し、再生時に復号化するシステムである。ＤＶＤビデオタイトルの複製の保護を実現するために、ＤＶＤ再生装置１０には、このＣＳＳ機構が設けられている。このように、ＨＤＭＩは、著作権保護にも優れている。
【００６０】
次いで、ＨＤＭＩモニタ４０について説明する。
【００６１】
ＨＤＭＩモニタ４０は、ＨＤＭＩレシーバ４１を有している。このＨＤＭＩレシーバ４１は、ＴＭＤＳ方式でＤＶＤ再生装置１０から送信された変換済画像情報のデジタル信号を受け取る。ＨＤＭＩレシーバ４１は、受け取ったデジタル信号を、画像情報を表示できるよう、ＨＤＭＩモニタ４０内の図示しない所定の構成部材に送信する。そして、ＨＤＭＩモニタ４０は、デジタル信号として受け取った変換済画像情報に基づいて、画像情報を表示する。
【００６２】
一方、ＨＤＭＩレシーバ４１は、ＤＤＣと接続されており、上述の条件情報としてのＥＤＩＤデータ構造をＤＶＤ再生装置１０に対して送信する。
【００６３】
次いで、ＨＤＭＩモニタ４０やアナログモニタにおける表示条件情報を含む条件情報について図３を用いて説明する。なお、この条件情報には、上述の特定情報も含まれている。また、図３は、ＨＤＭＩモニタからＤＶＤ再生装置１０に送信されるＥＤＩＤデータ構造の構成を示す図である。
【００６４】
条件情報は、ＤＤＣ通信によりＨＤＭＩモニタ４０からＣＰＵ１７に送信される。この条件情報は、ＥＤＩＤ（Extended Display Identification Data）と呼ばれるデータ構造内に含まれている。図３に示されるように、このＥＤＩＤデータ構造７０には、ＥＤＩＤデータ構造のヘッダを示すＥＤＩＤヘッダ情報７１、ＥＤＩＤデータ構造のバージョンを示すＥＤＩＤバージョン情報７２、上述した条件情報７３およびこれら以外の情報である他情報７４が含まれている。このうち、条件情報７３には、モニタを特定する特定情報７３１、モニタの表示条件を示す表示条件情報７３２、モニタの音声条件を示す音声条件情報７３６、これら以外の情報である他情報７３７が含まれている。
【００６５】
例えば、特定情報７３１は、モニタの製造者名、モニタの製品コード、モニタのシリアル番号、モニタの製造年と週および予め定められたモニタ名情報等からなる。また、例えば、表示条件情報７３２は、モニタに対応する一以上の解像度を示す対応解像度の情報と、モニタに対応する解像度のうち最も適した解像度を示す最適解像度の情報と、からなる解像度情報７３３、モニタに表示可能なアスペクト比を示すアスペクト比情報７３４、モニタのその他の表示条件を示す表示情報７３５からなる。この表示情報７３５は、上記の具体的な表示条件以外の表示情報であり、例えば、モニタに対応する画像表示形式情報、モニタに表示する際に基準となる画質情報およびモニタに対応する画素数情報等の表示に関する情報からなる。また、例えば、音声条件情報７３６は、ドルビーデジタル音声対応またはＤＴＳ音声対応等の対応する音声条件を示す対応音声条件情報等からなる。
【００６６】
一方、ＥＤＩＤデータ構造７０の他情報７４は、映像入力の定義と最大イメージサイズとディスプレイ伝送特性とを含む基本ディスプレイパラメータ、モニタのＲＧＢの色特性、解像度情報と周波数情報とアスペクト比情報とを含む映像信号タイミング、モニタのエクステンションデータ（拡張子）の有無を示すエクステンションデータ有無フラグ、データの伝送の誤りを検出するために用いられるチェックサムを含んでいる。
【００６７】
また、エクステンションデータ有無フラグがエクステンションデータを有することを示す場合には、以下の他情報７４も含まれる。具体的には、この他情報７４は、属性情報を示すタグ情報、モニタを改良していく度に上がるマイナーバージョン番号を示すリビジョン番号、条件情報７３のＥＤＩＤデータ構造における開始位置を示す開始位置情報、モニタの表示条件として最適なフォーマット（対応解像度、最適解像度およびアスペクト比）が一つ以上定義されている場合にその総数を示す最適な画像フォーマットの総数、ＨＤＭＩ規格とＤＶＩ規格とを識別する登録識別子、一定サイズのフォーマットとしてデータを構成するときに不足するデータ量を補填するパディングデータおよびエクステンションデータにおけるチェックサム等を含んでいる。
【００６８】
さらに、同様にして、エクステンションデータ有無フラグがエクステンションデータを有することを示す場合には、当該他情報７４には、モニタの画像表示に関する情報が格納されているブロックを示すビデオタグ情報、そのビデオブロックの長さ情報、モニタの音声に関する情報が格納されているブロックを示すオーディオタグ情報、そのオーディオブロックの長さ情報、モニタのスピーカに関する情報が格納されているブロックを示すスピーカータグ情報、そのスピーカーブロックの長さ情報、モニタのスピーカに関する情報を示すスピーカ情報、モニタの製造者に関する情報が格納されているブロックを示すベンダータグ情報、そのベンダースペシフィックブロックの長さ情報等も含まれる。
【００６９】
なお、本実施形態において、表示条件情報７３２としては、上述の情報が用いられているが、これに限られず、ＥＤＩＤデータ構造に含まれている他情報７４等が用いられてもよい。また、音声条件情報７３６は、他情報７４のエクステンションデータに含まれるようにしてもよい。
【００７０】
また、表示条件情報に基づいて設定される表示条件は、ＧＵＩ生成部１３２から送信されてＨＤＭＩモニタ４０の図示しない画面に表示される。例えば、この画面には、図４に示されるように、表示条件の項目と、この項目に対してＣＰＵ１７の指示により、または使用者による操作部１６を用いて設定された、実際の表示条件が表示される。なお、図４は、ＨＤＭＩモニタ４０に表示される表示条件の、ＧＵＩ画像情報の一例を示す図である。
【００７１】
また、図４に示す本実施形態では、表示条件の項目として、画素数、アスペクト比、出力画質、オーディオ（音声）を挙げているが、この組合せに限定されず、その他に、図２に示す画像表示形式変換部１４２で変換される画像表示形式、同様に解像度変換部１４３で変換される解像度等の表示条件の項目が当該画面に表示されてもよい。
【００７２】
次いで、第一実施形態に係るＤＶＤ画像表示システム１００におけるＤＶＤ再生装置１０の動作について、図５を用いて説明する。
【００７３】
なお、図５は、ＤＶＤ画像表示システム１００において画像情報の表示条件を設定し出力する動作を示すフローチャートである。この処理は、図２に示すＤＶＤ画像表示システムにおいて、ＤＶＤ再生装置１０にＨＤＭＩモニタ４０が接続された場合に画像情報をＨＤＭＩモニタ４０に出力する際の実施形態である。
【００７４】
まず、図示しない電源スイッチによってＤＶＤ再生装置１０に電源が入れられると（ステップＳ１）、ＤＶＤ再生装置の各システムが初期化される（ステップＳ２）。そして、ＣＰＵ１７は、ＨＰＤからＨＤＭＩ送信部１５を介し、ＤＶＤ再生装置１０とＨＤＭＩモニタ４０との接続の有無の情報を受信するとともに、当該ＤＶＤ再生装置１０とＨＤＭＩモニタ４０との接続の有無を検出する（ステップＳ３）。このとき、ＤＶＤ再生装置１０とＨＤＭＩモニタ４０とが接続されている場合には、ＣＰＵ１７は、ＤＶＤ再生装置１０とＨＤＭＩモニタ４０とが接続されている旨を検出する（ステップＳ３ＹＥＳ）。
【００７５】
一方、ＣＰＵ１７がＨＤＭＩモニタ４０とが接続されていない旨を検出した場合には（ステップＳ３ＮＯ）、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ（ステップＳ１４）、後述するステップＳ１６に進む。
【００７６】
次いで、ＣＰＵ１７は、ＤＶＤ再生装置１０とＨＤＭＩモニタ４０とが接続されている旨を検出した後（ステップＳ３ＹＥＳ）、ＨＤＭＩモニタ４０からＤＤＣを介して表示条件情報を含む条件情報を取得する（ステップＳ４）。
【００７７】
次いで、ＣＰＵ１７は、ＨＤＭＩモニタ４０からＤＤＣを介して得られる登録識別子に基づいて、接続するＨＤＭＩモニタ４０の規格を判断する（ステップＳ５）。
【００７８】
具体的には、ＣＰＵ１７は、登録識別子に基づいて、接続するＨＤＭＩモニタ４０の規格がＨＤＭＩ規格であるか、ＤＶＩ規格であるかを判断する。
【００７９】
次いで、ＣＰＵ１７は、ＨＤＭＩモニタ４０の接続前の表示条件情報を、通信線を介して記憶部１８に記憶させる（ステップＳ６）。
【００８０】
次いで、ＣＰＵ１７は、取得した条件情報から、ＨＤＭＩモニタ４０の特定情報を検出し、この特定情報を基に、現在接続されているＨＤＭＩモニタ４０が、過去に接続されたことがあるモニタか否かを判断する（ステップＳ７）。
【００８１】
具体的に、ＣＰＵ１７は、ＨＤＭＩモニタ４０から取得した特定情報に含まれるモニタ名情報と、記憶部１８に特定情報として記憶されているモニタ名情報とを照合し、記憶部１８が現在接続されているＨＤＭＩモニタ４０のモニタ名情報を記憶している場合には、現在接続されているＨＤＭＩモニタ４０が、過去に接続されたモニタであると判断する。
【００８２】
ＣＰＵ１７が接続されているＨＤＭＩモニタ４０が過去に接続されたモニタであると判断した場合には（ステップＳ７ＹＥＳ）、ＣＰＵ１７は、ＨＤＭＩモニタ４０の特定情報を基に、記憶部１８に記憶されている、過去に接続された際の表示条件情報を読み込むとともに、情報変換部１４に、画像情報の表示条件をこの表示条件情報に基づいて設定させ（ステップＳ１５）、ステップＳ１６に進む。
【００８３】
一方、ＣＰＵ１７が、接続されているＨＤＭＩモニタ４０が過去に接続されたモニタでないと判断した場合には（ステップＳ７ＮＯ）、ＣＰＵ１７は、ＨＤＭＩモニタ４０から受け取ったそのＨＤＭＩモニタ４０の表示条件情報を含む条件情報を記憶部１８に保存する（ステップＳ８）。
【００８４】
次いで、ＣＰＵ１７は、受け取ったＨＤＭＩモニタ４０の表示条件情報に従って、ＤＶＤ記録媒体６０から読み取られた画像情報を情報変換部１４に変換させ、当該変換された画像情報についてＨＤＭＩ送信部１５を介してＨＤＭＩモニタ４０に出力させる（ステップＳ９）。
【００８５】
次いで、ＣＰＵ１７は、例えば、図４に示すＨＤＭＩモニタ４０に出力された画像情報の表示条件を示すＧＵＩ画像情報を、ＧＵＩ生成部１３２に生成させる（ステップＳ１０）。このとき、ＨＤＭＩモニタ４０には、ＨＤＭＩ送信部１５を介してＧＵＩ画像情報が入力され、当該ＨＤＭＩモニタ４０は、当該生成されたＧＵＩ画像情報を図示しない画面に表示させる。
【００８６】
また、このとき、この表示条件の画面を見たＤＶＤ再生装置１０の使用者には、表示条件を変更するか否かを判断させ、ＣＰＵ１７は、操作部１６からの指示の有無により、表示条件が変更されたか否かを判断する（ステップＳ１１）。
【００８７】
ＣＰＵ１７は、操作部１６により表示条件が変更されたことを認識した場合には（ステップＳ１１ＹＥＳ）、変更された表示条件情報を記憶部１８に保存する（ステップＳ１２）。
【００８８】
次いで、ＣＰＵ１７は、情報変換部１４に、操作部１６から受け取ったＨＤＭＩモニタ４０の変更された表示条件情報に設定させ（ステップＳ１３）、ステップＳ１６に進む。
【００８９】
一方、ＣＰＵ１７は、操作部１６により表示条件が変更されたことを認識しない場合には（ステップＳ１１ＮＯ）、そのままの状態でステップＳ１６に進む。
【００９０】
次いで、ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ（ステップＳ１６）、本動作を終了する。
【００９１】
具体的には、ＣＰＵ１７は、情報変換部１４に、設定される画質、画像表示形式および解像度の表示条件に従い、ＤＶＤ記録媒体６０から信号読取部１１、信号処理部１２およびＡＶデコーダ１３を介して得られた画像情報を変換させる。そして、ＣＰＵ１７は、当該変換した画像情報を、ＨＤＭＩ送信部１５を介してＨＤＭＩモニタ４０に出力させる。
【００９２】
なお、ＣＰＵ１７は、ステップＳ１４の後、画像表示形式変換部１４２に、情報変換部１４において変換した画像情報を、ビデオエンコーダ１９、ビデオアンプ２０を介してアナログモニタ５０へアナログ信号で出力させる。
【００９３】
次いで、ＤＶＤ画像表示システム１００において、ＤＶＤ再生装置１０からＨＤＭＩモニタ４０の接続が切断された場合の画像出力処理について、図６を用いて説明する。
【００９４】
なお、図６は、ＤＶＤ再生装置１０からＨＤＭＩモニタ４０の接続を切断した場合の動作を示すフローチャートである。
【００９５】
ＤＶＤ再生装置１０とＨＤＭＩモニタ４０との接続が切断され、ＨＰＤがこの接続が切断された旨を検出すると、当該ＨＰＤは接続が切断された旨をＨＤＭＩ送信部１５および通信線を介してＣＰＵ１７に送信し、ＣＰＵ１７はこの接続が切断された旨を検出する（ステップＳ２１）。
【００９６】
次いで、ＣＰＵ１７は、接続前の表示条件情報を記憶部１８から読み込む（ステップＳ２２）。
【００９７】
次いで、ＣＰＵ１７は、情報変換部１４に、ＤＶＤ記録媒体６０から読み取られた画像情報を、読み込んだ接続前の表示条件情報に従い設定された表示条件に基づいて変換させ、当該変換した画像情報をアナログモニタ５０へ出力させ（ステップＳ２３）、本動作を終了する。
【００９８】
以上説明したように、第一実施形態のＤＶＤ再生装置１０は、画像情報を表示するＨＤＭＩモニタ４０と接続され、このＨＤＭＩモニタ４０に画像情報を出力するＤＶＤ再生装置１０であって、予めＨＤＭＩモニタ４０からＨＤＭＩモニタ４０の表示条件を示す情報である条件情報を取得するＣＰＵ１７と、ＨＤＭＩモニタ４０に出力する画像情報を条件情報に基づいて変換する情報変換部１４と、情報変換部１４により変換された画像情報である変換済画像情報をＨＤＭＩモニタ４０に出力するＨＤＭＩ送信部１５と、を備える。
【００９９】
よって、このＤＶＤ再生装置１０によれば、新しいＨＤＭＩモニタ４０が接続されても、当該ＤＶＤ再生装置１０は、新しく接続されたＨＤＭＩモニタ４０から表示条件の情報が得られる。そのため、ＤＶＤ再生装置１０は、得られた表示条件の情報に基づいて、接続するＨＤＭＩモニタ４０に適切な表示条件で、画像情報を出力することができる。従って、新しいＨＤＭＩモニタ４０がＤＶＤ再生装置１０に接続された場合にも、使用者は、画像情報の表示条件の設定を変更する必要がなく、適切な表示条件によって画像情報を出力することができるので、このＤＶＤ再生装置１０における使用者の利便性が向上される。
【０１００】
また、上記ＤＶＤ再生装置１０であって、さらに、ＣＰＵ１７によって取得された、ＨＤＭＩモニタ４０を特定するための特定情報を含む条件情報を記憶する記憶部１８と、ＣＰＵ１７によって取得された条件情報に基づいて画像情報を出力するＨＤＭＩモニタ４０を特定する特定機能をＣＰＵ１７に備え、情報変換部１４は、ＣＰＵ１７により特定された当該ＨＤＭＩモニタ４０に基づき、接続されるＨＤＭＩモニタ４０に適合する条件情報を記憶部１８から読み込むとともに、読み込んだ条件情報に基づき、出力する画像情報を変換する。
【０１０１】
よって、以前に接続されたＨＤＭＩモニタ４０については、ＨＤＭＩモニタ４０の特定情報を含む条件情報が記憶部１８に記憶されている。そのため、再度接続されたＨＤＭＩモニタ４０の特定情報と適合する、以前に接続されたＨＤＭＩモニタ４０の表示条件の情報に基づいて、接続するＨＤＭＩモニタ４０に適切な表示条件で、画像情報を出力することができる。すなわち、以前に接続されたときに、ＨＤＭＩモニタ４０から取得した表示条件を使用者が変更した場合でも、ＨＤＭＩモニタ４０から取得した表示条件でなく、使用者が設定した変更後の表示条件で画像情報をＨＤＭＩモニタ４０に出力することが可能となる。従って、再度ＨＤＭＩモニタ４０をＤＶＤ再生装置１０に接続した場合にも、使用者が再度自己の好みにより画像情報の表示条件の設定を変更しなくても、以前に設定した自己の好みを反映した表示条件によって画像情報を出力することができるので、このＤＶＤ再生装置１０における使用者の利便性が向上される。
【０１０２】
また、上記ＤＶＤ再生装置１０であって、ＨＤＭＩ送信部１５は、デジタル信号で形成された変換済画像情報を出力する。
【０１０３】
よって、ＤＶＤ再生装置１０は、接続するＨＤＭＩモニタ４０に適した表示条件で、ＨＤＭＩモニタ４０にデジタル信号によって画像情報を出力することができ、画像情報が劣化せずに出力することができる。
【０１０４】
上記ＤＶＤ再生装置１０であって、ＨＤＭＩ送信部１５は、ＨＤＭＩ規格のデジタル信号で形成された変換済画像情報を出力する。
【０１０５】
よって、ＤＶＤ再生装置１０は、接続するＨＤＭＩモニタ４０に適した表示条件で、ＨＤＭＩモニタ４０にＨＤＭＩ規格のデジタル信号で画像情報を出力することができ、画像情報が劣化せずに出力することができる。
【０１０６】
上記ＤＶＤ再生装置１０であって、さらに、ＨＤＭＩモニタ４０から取得される条件情報の規格を判断する判断機能をＣＰＵ１７が備え、ＣＰＵ１７は、判断機能により判断された規格に基づいた条件情報を取得する。
【０１０７】
よって、ＤＶＤ再生装置１０は、例えば、接続するＨＤＭＩモニタ４０から送信される条件情報に含まれる登録識別子により、ＨＤＭＩ規格またはＤＶＩ規格を判断する。通常、ＨＤＭＩ規格は、その互換性を有するＤＶＩ規格にも対応するので、いずれか一方の規格によって、接続するモニタから条件情報が送信されても、ＤＶＤ再生装置１０は、判断される規格に基づいた的確な当該条件情報を取得することができる。さらには、ＤＶＤ再生装置１０は、判断された規格に適した条件情報に基づいて、接続するＨＤＭＩモニタ４０に画像情報を出力することができる。
【０１０８】
上記ＤＶＤ再生装置１０であって、さらに、ＨＤＭＩモニタ４０に対する表示条件を変更するための操作に用いられる操作部１６を備え、記憶部１８は、表示条件が変更された場合に、変更された表示条件を出力する画像情報に変換する際に用いられる表示条件として記憶する。
【０１０９】
よって、ＤＶＤ再生装置１０における使用者は、操作部１６を用いることにより、見え易さ等の使用者の希望に応じて画像情報の表示条件の設定を変更することができる。そして、ＤＶＤ再生装置１０は、設定変更後の表示条件を用いて画像情報をＨＤＭＩモニタ４０に出力することができる。
【０１１０】
また、設定変更後の表示条件が記憶部１８に記憶されるので、接続を解除したとしても、以前に接続されたＨＤＭＩモニタ４０については、そのＨＤＭＩモニタ４０の特定情報に従って、以前に接続されたときの表示条件を用いて画像情報をＨＤＭＩモニタ４０に出力することができる。従って、使用者が再度表示条件の設定を変更する必要がなく、適切な表示条件に基づいた画像情報を見ることができるので、このＤＶＤ再生装置１０における使用者の利便性が向上される。
【０１１１】
また、上記ＤＶＤ再生装置１０であって、さらに、記憶部１８が、ＨＤＭＩモニタ４０との接続前の表示条件として接続前表示条件を予め記憶している場合において、ＨＤＭＩモニタ４０との接続が切断された旨を検出する機能をＣＰＵ１７が備え、情報変換部１４は、ＣＰＵ１７がＨＤＭＩモニタ４０との接続が切断された旨を検出した場合に、記憶されている接続前表示条件に基づき、画像情報を変換する。
【０１１２】
よって、ＤＶＤ再生装置１０は、デジタル信号で出力する規格のＨＤＭＩモニタ４０との接続が切断されると、接続前の表示条件に基づいて画像情報を変換することになる。この変換された画像情報は、例えばアナログ信号で出力されるアナログモニタ５０とＤＶＤ再生装置１０とが接続されていると、このアナログモニタ５０に出力されることになる。
【０１１３】
このように、画像情報がアナログモニタ５０等のＨＤＭＩ規格以外のモニタに出力される場合にも、ＤＶＤ再生装置１０は、予め設定した表示条件を記憶しておき、この表示条件に基づいて画像情報を出力することができる。従って、使用者がアナログモニタ５０等のＨＤＭＩ規格以外のモニタにおける表示条件の設定を再度変更する必要がなく、適切な表示条件によってアナログモニタ５０において画像情報を出力することができるので、このＤＶＤ再生装置１０における使用者の利便性が向上される。
【０１１４】
上記ＤＶＤ再生装置１０であって、ＣＰＵ１７は、ＨＤＭＩモニタ４０の特定情報の他に、ＨＤＭＩモニタ４０に表示する画像情報のアスペクト比、解像度、画素数、画像表示形式または画質の少なくともいずれか一つを含む条件情報を取得する。
【０１１５】
よって、ＤＶＤ再生装置１０は、新しいＨＤＭＩモニタ４０が接続されても、新しく接続されたＨＤＭＩモニタ４０からアスペクト比、解像度、画素数、画像表示形式または画質の少なくともいずれか一つの表示条件が特定情報とともに得られる。そのため、ＤＶＤ再生装置１０は、得られた表示条件に基づいて、接続するＨＤＭＩモニタ４０に適切な表示条件によって画像情報を出力することができる。
【０１１６】
従って、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。
【０１１７】
また、第一実施形態のＤＶＤ画像表示システム１００は、画像情報を表示するＨＤＭＩモニタ４０と、このＨＤＭＩモニタ４０と接続されてＨＤＭＩモニタ４０に画像情報を出力するＤＶＤ再生装置１０と、からなる画像表示システムであって、予めＨＤＭＩモニタ４０からＨＤＭＩモニタ４０の表示条件を示す情報である条件情報を取得するＣＰＵ１７と、ＨＤＭＩモニタ４０に出力する画像情報を条件情報に基づいて変換する情報変換部１４と、情報変換部１４により変換された画像情報である変換済画像情報をＨＤＭＩモニタ４０に出力するＨＤＭＩ送信部１５と、を備え、ＨＤＭＩモニタ４０は、ＤＶＤ再生装置１０から出力された変換済画像情報に従って画像情報を表示する。
【０１１８】
よって、このＤＶＤ画像表示システム１００によれば、新しいＨＤＭＩモニタ４０が接続されても、ＤＶＤ再生装置１０は、新しく接続されたＨＤＭＩモニタ４０から表示条件の情報が得られる。そのため、ＤＶＤ再生装置１０は、得られた表示条件の情報に基づいて、接続するＨＤＭＩモニタ４０に適切な表示条件で、画像情報を出力することができる。従って、ＤＶＤ画像表示システム１００において、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。
【０１１９】
（２）  第二実施形態
次に、本願に係る第二実施形態について、説明する。
【０１２０】
なお、本実施形態は、本願の第一実施形態において、ＤＶＤ再生装置１０は、ＤＶＤ記録媒体６０から画像情報を読み取り、この画像情報を変換してＨＤＭＩモニタ４０に出力する点に加えて、ＤＶＤ記録媒体６０から画像情報とともに音声情報を読み取り、画像情報のみならず音声情報をも変換してＨＤＭＩモニタ４０に出力する点に特徴があり、その他の構成は、第一実施形態と同じであるため、同一部材については同一の番号を付して説明を省略する。
【０１２１】
まず、第二実施形態における、ＤＶＤ再生装置１０がこの音声情報をＨＤＭＩモニタ４０に出力する形態について、ＤＶＤ再生装置１０およびＨＤＭＩモニタ４０の構成および動作を説明する。
【０１２２】
ＤＶＤ再生装置１０の情報変換部１４は、ＤＶＤ記録媒体６０から読み取れる音声情報を変換する、図示しない音声情報変換部を備える。また、ＤＶＤ再生装置１０の操作部１６は、ＨＤＭＩモニタ４０に出力される音声情報の条件である音声条件情報を変更するためにも用いられる。一方、ＨＤＭＩモニタ４０は、ＤＶＤ再生装置１０から入力された音声情報に基づいて音声を外部に出力する。
【０１２３】
ＤＶＤ再生装置１０のＣＰＵ１７は、音声条件情報を含む条件情報をＨＤＭＩモニタ４０から読み取る。そして、ＣＰＵ１７は、情報変換部１４の音声情報変換部を制御し、読み取った音声条件情報に基づいて音声情報を変換させる。また、ＣＰＵ１７は、ＨＤＭＩ送信部１５を制御し、音声情報変換部により変換された音声情報である変換済音声情報をＨＤＭＩモニタ４０に出力させる。一方、ＨＤＭＩモニタ４０は、ＤＶＤ再生装置１０から入力された音声情報に基づいて音声を外部に出力する。
【０１２４】
なお、ここでいう音声条件情報は、第一実施形態において、図３を用いて説明した音声条件情報７３６を示す。
【０１２５】
例えば、本実施形態では、使用者は操作部１６を用いて、リニアＰＣＭ音声または音声条件情報７３６の対応音声条件に自動的に設定するオート等の選択をすることができるようになっている。使用者がオートの選択をした場合には、ＣＰＵ１７は、音声条件情報７３６として送信される対応音声条件情報に従って、情報変換部１４において、ＤＶＤ記録媒体６０から送信される音声情報を変換するよう指示する。
【０１２６】
一方、使用者がリニアＰＣＭ音声の選択をした場合には、ＣＰＵ１７は、情報変換部１４において、ＤＶＤ記録媒体６０から送信される音声情報を、音声条件情報としてリニアＰＣＭ音声に変換するよう指示する。
【０１２７】
本実施形態においては、他のＤＶＤ画像表示システム１００における動作は、第一実施形態におけるものと同様である。
【０１２８】
以上説明したように、第二実施形態のＤＶＤ再生装置１０は、第一実施形態のＤＶＤ再生装置１０において、ＨＤＭＩモニタ４０は、さらに音声情報に基づき音声外部に出力するとともに、ＣＰＵ１７は、ＨＤＭＩモニタ４０の音声条件を含む条件情報をさらに取得し、情報変換部１４は、ＨＤＭＩモニタ４０に出力する音声情報を条件情報に基づいて変換し、ＨＤＭＩ送信部１５は、情報変換部１４により変換された音声情報である変換済音声情報をＨＤＭＩモニタ４０に出力する。
【０１２９】
よって、第二実施形態のＤＶＤ再生装置１０によれば、新しいＨＤＭＩモニタ４０が接続されても、ＤＶＤ再生装置１０は、新しく接続されたＨＤＭＩモニタ４０から表示条件の情報の他、音声条件の情報が得られる。そのため、このＤＶＤ再生装置１０は、得られた音声条件の情報に基づいて、接続するＨＤＭＩモニタ４０に適切な音声条件で音声情報を出力することができる。従って、新しいＨＤＭＩモニタ４０をＤＶＤ再生装置１０に接続した場合にも、使用者は、音声情報の条件の設定を変更する必要がなく、適切な音声条件で音声を聞くことができるので、このＤＶＤ再生装置１０における使用者の利便性が向上される。
【０１３０】
さらに、上記ＤＶＤ再生装置１０であって、操作部１６は、音声条件を変更するための操作に用いられる。
【０１３１】
よって、第二実施形態のＤＶＤ再生装置１０における使用者は、操作部１６を用いることにより、聞こえ易さ等の希望に応じて音声情報の音声条件の設定を変更することができる。そして、ＤＶＤ再生装置１０は、設定変更後の音声条件で音声情報をＨＤＭＩモニタ４０に出力することができる。また、設定変更後の音声条件を記憶部１８に記憶させることができ、そうすると、接続を解除しても、以前に接続されたＨＤＭＩモニタ４０については、そのＨＤＭＩモニタ４０の特定情報に従って、以前に接続されたときの音声条件で音声情報をＨＤＭＩモニタ４０に出力することができる。そのため、使用者が再度音声条件の設定を変更する必要がなく、適切な音声条件で音声情報を聞くことができるので、このＤＶＤ再生装置１０における使用者の利便性が向上される。
【０１３２】
（３）  第三実施形態
次に、本願に係る第三実施形態について、説明する。
【０１３３】
なお、本実施形態は、本願の第一実施形態において、ＤＶＤ画像表示システム１００は、図２に示すように一台のＨＤＭＩモニタ４０がＤＶＤ再生装置１０に接続されているが、図１に示すようにＤＶＤ再生装置１０と二台のＨＤＭＩモニタ４０Ａおよび４０Ｂが接続されている点に特徴があり、その他の構成は、第一実施形態と同じであるため、同一部材については同一の番号を付して説明を省略する。
【０１３４】
第三実施形態のＤＶＤ再生装置１０と二台のＨＤＭＩモニタ４０Ａおよび４０Ｂとの間には、図１に示すように、ＨＤＭＩケーブル３０を介してセレクタ３１を設けることができる。このセレクタ３１は、接続される二台のモニタのうちいずれか一方と、ＤＶＤ再生装置１０との接続を切り替える。そのため、ＤＶＤ画像表示システム１００の使用者が、いずれか一方のモニタとＤＶＤ再生装置１０とを接続するかを選択するために用いられる。なお、例えば、セレクタ３１は、本発明の選択手段として機能する。
【０１３５】
ＤＶＤ画像表示システム１００の使用者が、セレクタ３１を用いて接続するＨＤＭＩモニタ４０ＡをＨＤＭＩモニタ４０Ｂに切り替えた場合のＤＶＤ再生装置１０の動作について説明する。
【０１３６】
ＤＶＤ画像表示システム１００の使用者が、セレクタ３１を用いて接続するモニタをＨＤＭＩモニタ４０ＡからＨＤＭＩモニタ４０Ｂに切り替えると、切り替えた後に接続されているＨＤＭＩモニタ４０Ｂの条件情報がＤＤＣを介してＣＰＵ１７に送信される。そして、ＨＤＭＩモニタ４０Ｂの条件情報に対応して、図５を用いて上述したように、ステップＳ３以降の手順により、ＤＶＤ再生装置１０からＨＤＭＩモニタ４０Ｂへ画像情報が出力される。
【０１３７】
さらに、ＤＶＤ画像表示システム１００の使用者が、セレクタ３１を用いて接続するモニタをＨＤＭＩモニタ４０ＢからＨＤＭＩモニタ４０Ａに戻すと、切り替えた後に接続されているＨＤＭＩモニタ４０Ａの特定情報を含む条件情報がＤＤＣを介してＣＰＵ１７に送信される。そして、受信したＨＤＭＩモニタ４０Ａの特定情報に対応して、図５を用いて上述したように、ステップＳ３以降の手順、特にステップＳ１５を経て、ＤＶＤ再生装置１０からＨＤＭＩモニタ４０Ａへ画像情報が出力される。
【０１３８】
第三実施形態の他の構成および動作は、第一実施形態におけるものと同様である。
【０１３９】
ここで、セレクタ３１は、図１において、ＨＤＭＩモニタ４０Ａおよび４０Ｂの二台と接続されているが、セレクタ３１の構成はこれに限定されることはなく、三台以上のモニタと接続されてもよい。また、セレクタ３１が、ＤＶＤ再生装置１０と複数台のモニタとを接続されており、ＤＶＤ再生装置１０は、複数台のモニタに同時に画像情報を出力してもよい。
【０１４０】
以上説明したように、第三実施形態のＤＶＤ画像表示システム１００は、複数のＨＤＭＩモニタ４０が備えられている場合に、ＤＶＤ再生装置１０と各ＨＤＭＩモニタ４０との間に、当該各ＨＤＭＩモニタ４０の少なくともいずれか一つを選択するためのセレクタ３１を備える。
【０１４１】
よって、このＤＶＤ画像表示システム１００は、その使用者がセレクタ３１を用いてＨＤＭＩモニタ４０Ａおよび４０ＢとＤＶＤ再生装置１０との接続を切り替えることができる。そして、ＨＤＭＩモニタ４０Ａおよび４０ＢとＤＶＤ再生装置１０との接続を切り替えた場合にも、切り替えた後に接続されたＨＤＭＩモニタ４０Ａまたは４０Ｂから表示条件の情報が得られる。そのため、このＤＶＤ画像表示システム１００は、接続を切り替えた後に得られた表示条件の情報に基づいて、接続するＨＤＭＩモニタ４０Ａまたは４０Ｂに適切な表示条件で、画像情報を出力することができる。従って、ＨＤＭＩモニタ４０Ａおよび４０ＢとＤＶＤ再生装置１０との接続を、セレクタ３１を用いて切り替えた場合にも、使用者は、画像情報の表示条件の設定を変更する必要がなく、接続されるＨＤＭＩモニタ４０Ａまたは４０Ｂにおいて、適切な表示条件によって画像情報を出力することができるので、このＤＶＤ画像表示システム１００における使用者の利便性が向上される。
【０１４２】
（４）  変形形態
上述の各実施形態の変形形態について説明する。
【０１４３】
第一実施形態においては、本願の画像出力装置としてＤＶＤ再生装置１０を用いたが、これに限定されることはない。画像出力装置としては、ＤＶＤ記録装置、パーソナルコンピュータ、ビデオテープ再生装置、ビデオテープ記録装置（ＶＴＲ）、ビデオカメラ、デジタルカメラ、テレビ用チューナ、ケーブルテレビ用チューナ、家庭用テレビに接続されて追加機能を提供する機器（セットトップボックス）、ゲーム用出力機器等の各種画像出力装置が挙げられ、画像情報を出力することができる装置であればよい。
【０１４４】
第一実施形態においては、本願の表示装置としてＨＤＭＩモニタ４０を用いたが、これに限定されることはない。表示装置としては、ＤＶＩ規格のＤＶＩモニタ表示装置、アナログモニタ表示装置、テレビ画像受像機、パーソナルコンピュータのディスプレイ等の各種表示装置が挙げられ、画像を表示できる装置であればよい。
【０１４５】
第一実施形態においては、ＤＶＤ再生装置１０とＨＤＭＩモニタ４０との接続が切断されたときに、アナログ信号で画像情報をアナログモニタ５０に出力することとしたが、これに限定されることはない。
【０１４６】
例えば、ＤＶＤ再生装置１０とＨＤＭＩモニタ４０とが接続されている状態で、ＨＤＭＩモニタ４０に設定した条件情報に従い、画像情報をＨＤＭＩモニタ４０とアナログモニタ５０へ同時に出力されるようにしてもよい。
【０１４７】
具体的には、ＣＰＵ１７は、ＨＤＭＩモニタ４０とＤＶＤ再生装置１０との接続が有る場合に、情報変換部１４に対し、そのＨＤＭＩモニタ４０の表示条件に従って変換した画像情報を、ＨＤＭＩ送信部１５に送信するとともに、ビデオエンコーダ１９にも送信するよう指示する。
【０１４８】
第一実施形態において、信号読取部１１は、ＤＶＤ記録媒体６０から画像情報のマークおよびスペースを読み取ることとしたが、これに限定されることはない。表示装置に出力する画像情報は、マークおよびスペースでなく、直接デジタル信号やアナログ信号として読み取れるようになっていてもよい。これらの読み取る方法は、ＤＶＤ記録媒体、ビデオテープ、有線通信、無線通信、放送等の種々の画像出力装置への入力形態に応じて適宜選択される。
【０１４９】
第一実施形態において、ＧＵＩ生成部１３２は、受け取った表示条件の情報をＨＤＭＩモニタ４０に表示するように、表示条件を表示すべき旨を画質調整部１４１へ送信するが、ＧＵＩ画像情報はこのように表示されることに限定されることはない。例えば、ＧＵＩ生成部１３２は、受け取った表示条件の情報を、ＤＶＤ再生装置１０の図示しない表示部に表示するようにしてもよい。
【０１５０】
第一実施形態において、情報変換部１４は、表示条件として画質、画像表示形式、解像度を変換できるような構成としたが、画素数、アスペクト比等が表示条件として用いられてもよい。この場合には、画素数、アスペクト比等の各表示条件を変換する構成部材が情報変換部１４に備えられる。
【０１５１】
第一実施形態において、ＨＤＭＩ送信部１５は、ＨＤＭＩ規格に基づいて変換済画像情報の信号を送信するが、その動作はこれに限定されることはない。ＨＤＭＩ送信部１５は、例えば、ＤＶＩ規格に基づいて変換済画像情報の信号を送信することができるようにしてもよい。また、ＨＤＭＩ送信部１５は、画像情報をアナログ信号に変換して、アナログ信号に変換した画像情報をアナログモニタ５０に直接送信してもよい。
【０１５２】
第一実施形態において、操作部１６は、ＤＶＤ再生装置１０における使用者が直接操作するために用いられているが、その動作は限定されることはない。例えば、操作部１６は、リモートコントローラが使用者による操作に用いられる場合に、その操作内容の信号を受信してＣＰＵ１７に送信するようにしてもよい。
【０１５３】
第一実施形態において、ＣＰＵ１７は、ＨＤＭＩモニタ４０からそのＨＤＭＩモニタ４０の表示条件を示す情報である条件情報を、ＥＤＩＤデータ構造としてＤＤＣを介して取得することとしたが、これに限定されることはない。例えば、ＣＰＵ１７は、他のデータ構造として条件情報を取得してもよい。また、ＣＰＵ１７は、デジタル信号として、またはアナログ信号として条件情報を取得してもよい。
【０１５４】
更に、図５および図６に示すフローチャートに対応するプログラムをフレキシブルディスクまたはハードディスク等の情報記録媒体に記録しておき、あるいはインターネット等のネットワークを介して取得して記録しておき、これをマイクロコンピュータ等により読み出して実行することにより、当該マイクロコンピュータを各実施形態に係るＣＰＵ１７、情報変換部１４およびＨＤＭＩ送信部１５等として機能させることも可能である。
【０１５５】
このように、本実施形態の画像出力プログラムおよびこのプログラムがコンピュータに読み取り可能に記録された情報記録媒体は、画像情報を表示するＨＤＭＩモニタ４０と接続され、当該ＨＤＭＩモニタ４０に画像情報を出力するＤＶＤ再生装置１０に含まれるコンピュータを、予めＨＤＭＩモニタ４０からＨＤＭＩモニタ４０の表示条件を示す情報である条件情報を取得するＣＰＵ１７、ＨＤＭＩモニタ４０に出力する画像情報を条件情報に基づいて変換する情報変換部１４、情報変換部１４により変換された画像情報である変換済画像情報をＨＤＭＩモニタ４０に出力するＨＤＭＩ送信部１５、として機能させる。
【０１５６】
よって、ＤＶＤ再生装置１０に含まれるコンピュータが、上述のように機能するため、当該ＤＶＤ再生装置１０に新しいＨＤＭＩモニタ４０が接続されても、ＤＶＤ再生装置１０は、新しく接続されたＨＤＭＩモニタ４０から表示条件の情報が得られる。そのため、ＤＶＤ再生装置１０は、得られた表示条件の情報に基づいて、接続するＨＤＭＩモニタ４０に適切な表示条件で、画像情報を出力することができる。従って、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。
【０１５７】
また、第一実施形態のＤＶＤ画像表示システム１００においては、画像出力装置としてのＤＶＤ再生装置１０がＣＰＵ１７を有し、このＣＰＵ１７がＤＶＤ再生装置１０の各構成部材を制御することとしたが、この構成に限定されることはない。
【０１５８】
例えば、ＤＶＤ画像表示システム１００は、画像情報を表示するＨＤＭＩモニタ４０と、当該ＨＤＭＩモニタ４０と接続されてＨＤＭＩモニタ４０に画像情報を出力するＤＶＤ再生装置１０と、当該ＤＶＤ再生装置１０を制御する画像出力制御装置とを有するようにしてもよい。
【０１５９】
この場合、画像出力制御装置は、第一実施形態のＤＶＤ再生装置１０が有するＣＰＵ１７の機能を有するシステム制御部と、同様のＤＶＤ再生装置１０が有する記憶部１８の機能を有する主記憶部とを備える。
【０１６０】
このシステム制御部は、ＤＶＤ再生装置１０の信号処理部１２、ＡＶデコーダ１３，情報変換部１４およびＨＤＭＩ送信部１５を制御するものである。具体的には、システム制御部は、ＨＤＭＩモニタ４０から当該ＨＤＭＩモニタ４０の表示条件を示す情報である条件情報をＤＤＣ通信により予め取得し、このＨＤＭＩモニタ４０に出力する画像情報を当該条件情報に基づいて変換させる。また、システム制御部は、このような機能を発揮できるよう、ＤＶＤ再生装置１０の各構成部材とＤＶＤ再生装置１０内の通信線を介して接続されている。そして、例えば、このシステム制御部は、本発明の取得手段および変換制御手段として機能する。
【０１６１】
よって、第一実施形態と同様に、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。
【図面の簡単な説明】
【０１６２】
【図１】本願に係る第一実施形態のＤＶＤ画像表示システムの概要構成を示すブロック図である。
【図２】本願に係る第一実施形態のＤＶＤ画像表示システムを構成する部材の詳細構成を示す図である。
【図３】第一実施形態のＤＶＤ画像表示システムにおいてＨＤＭＩモニタからＤＶＤ再生装置１０に送信されるＥＤＩＤデータ構造の構成を示す図である。
【図４】第一実施形態のＤＶＤ画像表示システムにおいてＧＵＩによりＨＤＭＩモニタに表示される表示条件の一例を示す図である。
【図５】第一実施形態のＤＶＤ画像表示システムにおける画像出力処理の動作を示すフローチャートである。
【図６】第一実施形態のＤＶＤ画像表示システムにおけるＤＶＤ再生装置とＨＤＭＩモニタとの接続が切断された場合の画像出力処理の動作を示すフローチャートである。
【符号の説明】
【０１６３】
１００  ＤＶＤ画像表示システム
１０    ＤＶＤ再生装置
１１    信号読取部
１２    信号処理部
１３    ＡＶデコーダ
１４    情報変換部
１４１  画質調整部
１４２  画像表示形式変換部
１４３  解像度変換部
１５    送信部
１６    操作部
１７    ＣＰＵ
１８    記憶部
３１    セレクタ
４０、４０Ａ、４０Ｂ  ＨＤＭＩモニタ
６０    ＤＶＤ記録媒体
７０    ＥＤＩＤデータ構造
７１    ＥＤＩＤヘッダ情報
７２    ＥＤＩＤバージョン情報
７３    条件情報
７３１  特定情報
７３２  表示条件情報
７３３  解像度情報
７３４  アスペクト比情報
７３５  表示情報
７３６  音声条件情報
【図１】
2005109703.tif 000003
【図２】
2005109703.tif 000004
【図３】
2005109703.tif 000005
【図４】
2005109703.tif 000006
【図５】
2005109703.tif 000007
【図６】
2005109703.tif 000008